(57)【要約】【課題】機械駆動式のウオータポンプを用いつつエンジンが低負荷のときエンジンに送られる冷却水の量を少なくできる内燃機関の冷却水回路を提供する。【解決手段】エンジン２とラジエータ３の間にエンジン回転系により駆動されるウオータポンプ４を備えた内燃機関の冷却水回路１において、ウオータポンプ４のエンジン側とラジエータ側とを接続するバイパス水路５と、バイパス水路５に設けられ、エンジン低負荷のためラジエータ３からの冷却水の水温が低いときにバイパス水路５の流量を増加させるべく開度を増し、エンジン高負荷のためラジエータ３からの冷却水の水温が高いときにバイパス水路５の流量を減少させるべく開度を減らすサーモスタット６とを備えた。【選択図】図１
2010096047.tif 000002
【特許請求の範囲】
【請求項１】
エンジンとラジエータの間にエンジン回転系により駆動されるウオータポンプを備えた内燃機関の冷却水回路において、
上記ウオータポンプのエンジン側とラジエータ側とを接続するバイパス水路と、
上記バイパス水路に設けられ、エンジン低負荷のため上記ラジエータからの冷却水の水温が低いときに上記バイパス水路の流量を増加させるべく開度を増し、エンジン高負荷のため上記ラジエータからの冷却水の水温が高いときに上記バイパス水路の流量を減少させるべく開度を減らすサーモスタットとを備えたことを特徴とする内燃機関の冷却水回路。
【発明の詳細な説明】
【技術分野】
【０００１】
本発明は、機械駆動式のウオータポンプを用いつつエンジンが低負荷のときエンジンに送られる冷却水の量を少なくできる内燃機関の冷却水回路に関する。
【背景技術】
【０００２】
従来の内燃機関の冷却水回路では、エンジンとラジエータの間にラジエータからエンジンに冷却水を送り込むためのウオータポンプが設けられる。ウオータポンプは、クランクシャフトによりベルトを介して機械的に駆動される。したがって、エンジン回転数が低いときには、ウオータポンプの回転数が低く、ラジエータからエンジンに送り込まれる冷却水の量は多くはない。逆に、エンジン回転数が高いときには、ウオータポンプの回転数も高いため、ラジエータからエンジンに送り込まれる冷却水の量が多い。
【０００３】
以上の構成により、従来の内燃機関の冷却水回路は、エンジン回転数が低いときにはエンジンに送り込まれる冷却水の量が少ないが、エンジン回転数が高くなるとエンジンに送り込まれる冷却水の量が多くなってエンジンからの熱をより多く奪い、より強力に冷却することができる。
【０００４】
【特許文献１】特開２００５−１３３５５９号公報
【発明の開示】
【発明が解決しようとする課題】
【０００５】
従来の内燃機関の冷却水回路は、ウオータポンプがエンジンと共に回転するエンジン回転系により機械的に駆動されるため、ウオータポンプの吐出量がエンジン回転数で一義的に決まる。よって、エンジンに送り込まれる冷却水の量がエンジン回転数で一義的に決まり、エンジン回転数が低いときには、エンジンに送り込まれる冷却水の量が少なく、エンジン回転数が高いときには、エンジンに送り込まれる冷却水の量が多いことになる。
【０００６】
一方、エンジンにおいては、エンジン回転数が高く、かつ、エンジンが高負荷で運転されていると、前述のように、大量の冷却水が送り込まれて強力に冷却され、好ましい。しかし、エンジン回転数が高いときでも、エンジンが低負荷で運転されている場合は、エンジンにおける水温はあまり高くないので、あまり強力に冷却する必要はない。
【０００７】
このように、従来の内燃機関の冷却水回路は、ウオータポンプの吐出量がエンジン回転数のみに依存しているため、エンジン負荷には関係なく、エンジンに送り込まれる冷却水の量が調節される。この結果、エンジン低負荷の場合には、エンジンが必要以上に冷却される過冷却の状態になるという問題がある。
【０００８】
また、ウオータポンプが必要以上に駆動されているということは、エンジンの出力エネルギが必要以上に消費されているということであり、無駄な駆動損失が発生するという問題がある。
【０００９】
なお、ウオータポンプをエンジン回転系により機械的に駆動せず、電動ウオータポンプを用いて、ＥＣＵ（エンジン制御装置）からの指令でウオータポンプの吐出量を調節するように構成することはできる。しかし、電動ウオータポンプは、流量能力に比してサイズが大きいため、上記機械駆動式のウオータポンプと同等程度の十分に大きい流量能力を有する電動ウオータポンプを用いようとすると、エンジンルーム内のスペースを消費し、レイアウトが困難になる。また、電動ウオータポンプは上記機械駆動式のウオータポンプよりも値段が高いため、車両のコストダウンの障害となる。
【００１０】
そこで、本発明の目的は、上記課題を解決し、機械駆動式のウオータポンプを用いつつエンジンが低負荷のときエンジンに送られる冷却水の量を少なくできる内燃機関の冷却水回路を提供することにある。
【課題を解決するための手段】
【００１１】
上記目的を達成するために本発明は、エンジンとラジエータの間にエンジン回転系により駆動されるウオータポンプを備えた内燃機関の冷却水回路において、上記ウオータポンプのエンジン側とラジエータ側とを接続するバイパス水路と、上記バイパス水路に設けられ、エンジン低負荷のため上記ラジエータからの冷却水の水温が低いときに上記バイパス水路の流量を増加させるべく開度を増し、エンジン高負荷のため上記ラジエータからの冷却水の水温が高いときに上記バイパス水路の流量を減少させるべく開度を減らすサーモスタットとを備えたものである。
【発明の効果】
【００１２】
本発明は次の如き優れた効果を発揮する。
【００１３】
（１）機械駆動式のウオータポンプを用いつつエンジンが低負荷のときエンジンに送られる冷却水の量を少なくできる。
【発明を実施するための最良の形態】
【００１４】
以下、本発明の一実施形態を添付図面に基づいて詳述する。
【００１５】
図１に示されるように、本発明に係る内燃機関の冷却水回路１は、エンジン２とラジエータ３の間にエンジン回転系（図示せず）により駆動されるウオータポンプ４を備えた内燃機関の冷却水回路１において、ウオータポンプ４のエンジン側であるウオータポンプ出口４ａとラジエータ側であるウオータポンプ入口４ｂとを接続するバイパス水路５と、バイパス水路５に設けられ、エンジン低負荷のためラジエータ３からの冷却水の水温が低いときにバイパス水路５の流量を増加させるべく開度を増し、エンジン高負荷のためラジエータ３からの冷却水の水温が高いときにバイパス水路５の流量を減少させるべく開度を減らすサーモスタット（以下、水量調整用サーモスタットと称する）６とを備えたものである。
【００１６】
エンジン２の内部には、図示しないが冷却水を循環する冷却水路が設けられている。エンジン２とラジエータ３との間には、エンジン２の内部の冷却水路とラジエータ３とを接続するラジエータ吸い込み水路７が設けられている。ラジエータ吸い込み水路７には、従来より暖機用サーモスタット８が設けられている。暖機用サーモスタット８は、エンジン暖機が未達成のため水温が低いときには閉じられてラジエータ吸い込み水路７の水流を遮断し、エンジン暖機が達成されて水温が高いときには開かれてラジエータ吸い込み水路７の水流を解放するものである。暖機用サーモスタット８の開閉温度は、水量調整用サーモスタット６の開度調整温度とは異なる。なお、図１の暖機用サーモスタット８は、いわゆるアウトレットサーモ（出口サーモ）となっているが、いわゆるインレットサーモ（入口サーモ）であってもよい。
【００１７】
以下、動作を説明する。
【００１８】
エンジン２が既に暖機され、暖機用サーモスタット８が開かれてラジエータ吸い込み水路７の水流が解放されているものとする。エンジン回転系によりウオータポンプ４が機械的に駆動されることにより、冷却水は、エンジン２の内部からラジエータ吸い込み水路７、ラジエータ３、ウオータポンプ４を通り、再びエンジン２の内部に戻る。
【００１９】
ここで、エンジン回転数が高く、かつ、エンジン２が高負荷で運転されているものとする。エンジン高負荷であるため、エンジン２の内部の冷却水の水温はかなり高く、ラジエータ３で熱交換がなされた冷却水は水温が比較的高い。この冷却水がウオータポンプ４を通過しエンジン側に流れてくる。水量調整用サーモスタット６は、ラジエータ３からの冷却水の水温が高いので、開度を減らす方向に動作する。水量調整用サーモスタット６の開度が減ったことにより、バイパス水路５に流れる冷却水の流量が減少する。したがって、ウオータポンプ４のエンジン側であるウオータポンプ出口４ａに流出した冷却水の多くがエンジン２に流れ込むことになる。エンジン２は、大量の冷却水が送り込まれて強力に冷却される。
【００２０】
次に、エンジン回転数は高いが、エンジン２が低負荷で運転されているものとする。エンジン低負荷であるため、エンジン２の内部の冷却水の水温はエンジン高負荷のときに比べて低く、ラジエータ３で熱交換がなされた冷却水は水温がかなり低い。この冷却水がウオータポンプ４を通過しエンジン側であるウオータポンプ出口４ａに流れてくる。水量調整用サーモスタット６は、ラジエータ３からの冷却水の水温が低いので、開度を増やす方向に動作する。水量調整用サーモスタット６の開度が増えたことにより、バイパス水路５に流れる冷却水の流量が増加する。したがって、ウオータポンプ４のエンジン側に流出した冷却水の多くがバイパス水路５に流れてウオータポンプ４のラジエータ側であるウオータポンプ入口４ｂに戻ることになる。エンジン２は、比較的少量の冷却水により適切に冷却される。
【００２１】
このように、エンジン低負荷の場合には、エンジン２に流れ込む冷却水が減少するので、エンジン２が必要以上に冷却される過冷却の状態にはならない。
【００２２】
一方、バイパス水路５に流れた冷却水はウオータポンプ４で再びバイパス水路５に循環されることになるが、バイパス水路５はエンジン内に比べて水流に対する抵抗が小さいため、ウオータポンプ４で消費されるエネルギは少ない。よって、エンジン２の出力エネルギはあまり消費されず、無駄な駆動損失は発生しない。
【００２３】
図２により、水量調整用サーモスタット６における開度に対するエンジン２とバイパス水路５への流量の特性を説明する。
【００２４】
図２に示されるように、ウオータポンプ４の流量は水量調整用サーモスタット６の開度によらず一定である。水量調整用サーモスタット６の開度が０のとき、ウオータポンプ４の全量の冷却水がエンジン２に流入する。水量調整用サーモスタット６の開度が高まるにつれて、ウオータポンプ出口４ａからウオータポンプ入口４ｂに戻る冷却水の水量が増加し、これに伴いエンジン２に流入する冷却水の水量が減少する。
【００２５】
図３により、水量調整用サーモスタット６における開度に対するエンジン２の駆動損失の特性を説明する。
【００２６】
図３に示されるように、水量調整用サーモスタット６の開度が０のとき、エンジン２の駆動損失は最も大きい。水量調整用サーモスタット６の開度が高まるにつれて、エンジン２の駆動損失は減少する。図２と合わせて考えると、ウオータポンプ４の全量の冷却水がエンジン２に流入するとき、エンジン２の駆動損失は最も大きい。エンジン２に流入する冷却水の水量が減少するにつれて、エンジン２の駆動損失は減少する。
【図面の簡単な説明】
【００２７】
【図１】本発明の一実施形態を示す内燃機関の冷却水回路の概略図である。
【図２】水量調整用サーモスタットにおける開度に対する流量の特性図である。
【図３】水量調整用サーモスタットにおける開度に対するエンジンの駆動損失の特性図である。
【符号の説明】
【００２８】
１  内燃機関の冷却水回路
２  エンジン
３  ラジエータ
４  ウオータポンプ
５  バイパス水路
６  水量調整用サーモスタット
７  ラジエータ吸い込み水路
８  暖機用サーモスタット
【図１】
2010096047.tif 000003
【図２】
2010096047.tif 000004
【図３】
2010096047.tif 000005